(57)【要約】      （修正有）【課題】人体の頚部の太さに適した頚部マッサージ器を提供する。【解決手段】頚部マッサージ器は、ハンドルと、弾性アーム１２と、接続部１３と、電極アセンブリと、電極アセンブリに電気的に接続された電気パルス発生装置とを含み、ハンドルが接続部１３によって弾性アーム１２に接続されており、ハンドルが第１の外部ハウジング１１１と第１の外部ハウジング１１１に係合された第１の内部ハウジングとを含み、第１の外部ハウジング１１１が接続端と接続端に対向する自由端とを含み、接続端が接続部１３に接続され、第１の内部ハウジングが接続部１３に係合され、自由端は、外力の作用で接続部１３を支点として揺動することで、第１の内部ハウジングを接続部１３から離脱させる。【選択図】図７
0003234837.tif 000002
【実用新案登録請求の範囲】
【請求項１】
ハンドルと、弾性アームと、接続部と、電極アセンブリと、当該電極アセンブリに電気的に接続された電気パルス発生装置とを含み、当該ハンドルが当該接続部によって弾性アームに接続されており、当該ハンドルが第1の外部ハウジングと当該第1の外部ハウジングに係合された第1の内部ハウジングとを含み、当該第1の外部ハウジングが接続端と当該接続端に対向する自由端とを含み、当該接続端が当該接続部に接続され、当該第1の内部ハウジングが当該接続部に係合され、当該自由端は、外力の作用で当該接続部を支点として揺動することで、当該第1の内部ハウジングを当該接続部から離脱させる、ことを特徴とする頚部マッサージ器。
【請求項２】
前記電気パルス発生装置は、当該接続端から離間して当該自由端に接近するように、当該第1の外部ハウジングに設けられている、ことを特徴とする請求項1に記載の頚部マッサージ器。
【請求項３】
前記接続部は、カラーと、第1の接続片群と、第2の接続片群とを含み、当該第1の接続片群と第2の接続片群は当該カラーから両側に延伸するように形成され、当該第1の外部ハウジングの接続端が当該第1の接続片群に接続され、当該第2の接続片群が当該弾性アームに接続され、当該第1の内部ハウジングには、係合ブロックと係合フックが設けられ、当該第1の外部ハウジングには、係合溝が設けられ、当該係合フックが当該係合溝に係合され、当該係合ブロックが当該カラー内に係合される、ことを特徴とする請求項1に記載の頚部マッサージ器。
【請求項４】
前記第1の外部ハウジングには、位置合わせバーが設けられ、当該係合溝と位置合わせバーが当該電気パルス発生装置を囲んで設けられ、当該第1の内部ハウジングには位置合わせ溝が設けられ、当該位置合わせバーが当該位置合わせ溝内に嵌設されている、ことを特徴とする請求項3に記載の頚部マッサージ器。
【請求項５】
前記第1の接続片群は、2つの離間して設けられた第1の接続片で構成されており、当該2つの第1の接続片の間には、第1の隙間が形成され、当該係合ブロックが当該第1の隙間を介して当該カラー内に係合される、ことを特徴とする請求項3に記載の頚部マッサージ器。
【請求項６】
前記第2の接続片群は、2つの離間して設けられた第2の接続片で構成されており、当該2つの第2の接続片の間には、第2の隙間が形成され、当該第1の隙間および当該第2の隙間はカラーと連通する、ことを特徴とする請求項5に記載の頚部マッサージ器。
【請求項７】
前記電極アセンブリは、導電線によって当該電気パルス発生装置に電気的に接続され、当該導電線が当該ハンドルから、当該第1の隙間、当該カラー、および、当該第2の隙間を順次に通過して当該弾性アームに到達する、ことを特徴とする請求項6に記載の頚部マッサージ器。
【請求項８】
前記弾性アームは、第2の外部ハウジングと、第2の外部ハウジングに係合された第2の内部ハウジングと、を含み、当該第2の接続片群が当該第2の外部ハウジングに接続されている、ことを特徴とする請求項3〜7のいずれか1項に記載の頚部マッサージ器。
【請求項９】
前記第1の接続片群と第2の接続片群は、当該カラーの両側から延伸する長さが一致しない、ことを特徴とする請求項3〜7のいずれか1項に記載の頚部マッサージ器。
【請求項１０】
前記第1の外部ハウジングと第2の外部ハウジングには、当該カラーの両端の各々に対して1つの凸状ブロックが設けられ、2つの当該凸状ブロックが突き合わされて当該カラー内に嵌設される、ことを特徴とする請求項8に記載の頚部マッサージ器。
【考案の詳細な説明】
【技術分野】
【０００１】
本願は、2018年11月21日に中国特許局に対して提出された、出願番号201811394788.3の発明名称が頚部マッサージ器である中国特許出願の優先権を要求し、その全体が参照により本願に取り込まれる。
【０００２】
本願は、マッサージ器に関し、特に、頚部マッサージ器に関する。
【背景技術】
【０００３】
近年、仕事や不良な生活習慣などの都合で、頚椎症の発症は若年化の傾向が進んでいる。
【０００４】
従来の頚部マッサージ器は、首に着用されるものであり、当該頚部マッサージ器が、電気パルス発生装置と電極アセンブリとが設けられた本体と、左ハンドルと、右ハンドルと、を備え、左ハンドルと右ハンドルが本体の両側に可動的に接続されており、すなわち、左ハンドルと右ハンドルが接続箇所を支点として揺動することができる。また、左ハンドルおよび右ハンドルと本体との間にばねを設置することにより、クランプ力を与える。
【０００５】
上記頚部マッサージ器を実現して利用する際、われわれが従来技術では以下のような問題点が存在することを発見した。即ち、電気パルス発生装置が損ねられないように、従来の頚部マッサージ器の本体が剛性変形防止構造とされたので、首の太さにうまく適応できなくなる。
【考案の概要】
【考案が解決しようとする課題】
【０００６】
本願は、人体の頚部の太さに適した頸部マッサージ器を提供することを主な目的としている。
【課題を解決するための手段】
【０００７】
上記目的を実現するために、本願は、ハンドルと、弾性アームと、接続部と、電極アセンブリと、当該電極アセンブリに電気的に接続された電気パルス発生装置とを含み、当該ハンドルが当該接続部によって弾性アームに接続されており、当該ハンドルが第1の外部ハウジングと当該第1の外部ハウジングに係合された第1の内部ハウジングとを含み、当該第1の外部ハウジングが接続端と当該接続端に対向する自由端とを含み、当該接続端が当該接続部に接続され、当該第1の内部ハウジングが当該接続部に係合され、当該自由端は、外力の作用で当該接続部を支点として揺動することで、当該第1の内部ハウジングを当該接続部から離脱させる頚部マッサージ器を提供している。
【０００８】
好ましくは、前記電気パルス発生装置は、当該接続端から離間して当該自由端に接近するように、当該第1の外部ハウジングに設けられている。
【０００９】
好ましくは、前記接続部は、カラーと、第1の接続片群と、第2の接続片群とを含み、当該第1の接続片群と第2の接続片群は当該カラーから両側に延伸するように形成され、当該第1の外部ハウジングの接続端が当該第1の接続片群に接続され、当該第2の接続片群が当該弾性アームに接続され、当該第1の内部ハウジングには、係合ブロックと係合フックが設けられ、当該第1の外部ハウジングには、係合溝が設けられ、当該係合フックが当該係合溝に係合され、当該係合ブロックが当該カラー内に係合される。
【００１０】
好ましくは、前記第1の外部ハウジングには、位置合わせバーが設けられ、当該係合溝と位置合わせバーが当該電気パルス発生装置を囲んで設けられ、当該第1の内部ハウジングには位置合わせ溝が設けられ、当該位置合わせバーが当該位置合わせ溝内に嵌設されている。
【００１１】
好ましくは、前記第1の接続片群は、2つの離間して設けられた接続片で構成されており、当該2つの接続片の間には、第1の隙間が形成され、当該係合ブロックが当該第1の隙間を介して当該カラー内に係合される。
【００１２】
好ましくは、前記第2の接続片群は、2つの離間して設けられた接続片で構成されており、当該2つの接続片の間には、第2の隙間が形成され、当該第1の隙間および当該第2の隙間はカラーと連通する。
【００１３】
好ましくは、前記電極アセンブリは、導電線によって当該電気パルス発生装置に電気的に接続され、当該導電線が当該ハンドルから、当該第1の隙間、当該カラー、および、当該第2の隙間を順次に通過して当該弾性アームに到達する。
【００１４】
好ましくは、前記弾性アームは、第2の外部ハウジングと、第2の外部ハウジングに係合された第2の内部ハウジングとを含み、当該第2の接続片群が当該第2の外部ハウジングに接続されている。
【００１５】
好ましくは、前記第1の接続片群と第2の接続片群は、当該カラーの両側から延伸する長さが一致しない。
【００１６】
好ましくは、前記第1の外部ハウジングと第2の外部ハウジングには、当該カラーの両端の各々に対して1つの凸状ブロックが設けられ、当該2つの凸状ブロックが突き合わされて当該カラー内に嵌設される。
【００１７】
本願による有益な効果は以下の通りである。
【００１８】
前記頚部マッサージ器は、当該弾性アームの変形によって頚部マッサージ器の着用を実現させ、首の太さに好適に適応できる。また、当該頚部マッサージ器では、当該接続部のカラーによって、当該ハンドルの第1の外部ハウジングと第1の内部ハウジングの装着を支援するため、取り外しの場合、当該ハンドルを手動で外側に引っ張り、当該第1の外部ハウジングの微細な変形によって、当該第1の内部ハウジングを当該カラーから脱離させるだけで済む。それにより、取り外しが非常に容易なものとなる。さらに重要なのは、当該接続部が金属製のものであってもよいので、第1の外部ハウジングよりも強固なものとなり、そのため、第1の内部ハウジングが接続部に錠止されたことにより、製品の使用寿命を延ばすことができる。
【００１９】
本願の実施例または従来技術の技術案をより明確に説明するために、以下は、実施例または従来技術の記述に必要な添付図面を簡単に紹介するが、以下で記述している添付図面が本願における幾つかの実施例に過ぎず、当業者にとって、創造的な労力を払わずに、それらの添付図面に示す構造に基づいて他の添付図面をさらに取得できることは明らかである。
【図面の簡単な説明】
【００２０】
【図１】本願における頚部マッサージ器の好適な実施形態の斜視図である。
【図２】図1に示した頚部マッサージ器の正面図である。
【図３】図1に示したハンドルのうちの1つのハンドルと接続部の分解斜視図である。
【図４】図3に示した第1の内部ハウジングの別の角度での斜視図である。
【図５】図1に示した弾性アームと電極アセンブリの分解斜視図である。
【図６】図1に示した接続部の斜視図である。
【図７】第1の外部ハウジングと第2の外部ハウジングと接続部とによる接続模式図である。
【考案を実施するための形態】
【００２１】
以下は、本願における実施例の添付図面と合わせて、本願における実施例の技術案を明確かつ完全に説明するが、説明している実施例が本願における一部の実施例に過ぎず、全ての実施例ではないことは明らかである。本願における実施例を基にして、創造的な労力を払わずに当業者によって取得した他のすべての実施例は、本願における保護範囲に入っている。
【００２２】
なお、本願における実施例に記載のすべての方向的指示（例えば、上、下、左、右、前、後、……）は、（添付図面に示すように）ある特定の姿勢での各部材間の相対的な位置関係、動き状況などを解釈するためのものに過ぎず、当該特定の姿勢が変化すると、当該方向的指示もそれに伴って相応に変化している。
【００２３】
また、本願では、「第1の」、「第2の」などの記載は、目的を説明するために用いられるだけで、その相対的重要性を示すまたは示唆するためのもの、或いは、その指示対象となる技術的特徴の数を暗示的に記述するものとして理解されてはならない。それにより、「第1の」、「第2の」が限定された特徴は、少なくとも1つの当該特徴を明示的または暗示的に含むことができる。本願の説明では、特に具体的かつ明確的に限定された場合を除き、「複数」とは、少なくとも2つあることを意味し、例えば、2つ、3つなどあってもよい。
【００２４】
本願では、特に明確な規定や限定がある場合を除き、「接続」、「固定」などの用語は、広義で理解されるべきである。例えば、「固定」とは、特に明確な限定がある場合を除き、固定して接続されてもよいし、取り外し可能に接続されてもよいし、一体化されてもよい。また、機械的に接続されてもよいし、電気的に接続されてもよい。そして、直接に接続されてもよいし、中間媒体を介して間接に接続されてもよい。さらに、2つの素子の内部での連通関係または2つの素子の相互作用の関係でもよい。当業者にとって、本願における上記用語の具体的な意味は、具体的な状況に応じて理解されてもよい。
【００２５】
また、本願における各実施例間の技術案は互いに組み合わせてもよいが、当業者が実現できることを基礎としなければならない。技術案の組み合わせが互いに矛盾するまたは実現できない場合に、そのような技術案の組み合わせが存在しなく、本願が保護を求める範囲内にも存在しないと認定されるべきである。
【００２６】
本願は、頚部マッサージ器を提案している。
【００２７】
図1と図2に示す本願における頚部マッサージ器の好適な実施形態を参照して、前記頚部マッサージ器10は、2つのハンドル11と、弾性アーム12と、2つの接続部13と、少なくとも2つの電極アセンブリ14と、電気パルス発生装置15とを含む。当該2つのハンドル11は、当該接続部13によって当該弾性アーム12の両側に固定して接続されている。当該2つの電極アセンブリ14は、当該弾性アーム12に対称的に配置されている。当該電極アセンブリ14は当該電気パルス発生装置15に電気的に接続されている。
【００２８】
図3と図4を参照して、前記2つのハンドル11のうちの1つのハンドル11は、第1の外部ハウジング111と、当該第1の外部ハウジング111に係合された第1の内部ハウジング112とを含む。当該第1の外部ハウジング111は、接続端1111と、当該接続端1111に対向する自由端1112と、を含む。当該接続端1111は当該接続部13にネジ接続されている。当該接続端1111はやや湾曲しており、当該ハンドル11が強力で外側に引っ張られると、当該接続端1111が微細に変形してしまい、当該自由端1112が当該接続部13を支点として微細に揺動させられるようになる。当該電気パルス発生装置15は、当該接続端1111から離間して当該自由端1112に接近するように、1つの当該第1の外部ハウジング111に設けられていることで、よく保護されるようになる。当該第1の外部ハウジング111には、第1の凸状ブロック1113、若干の係合溝1114、および、位置合わせバー1115が設けられている。当該若干の係合溝1114と位置合わせバー1115は、当該電気パルス発生装置15を囲んで設けられている。当該第1の凸状ブロック1113は、当該接続部13の一側に向かって突設されて、当該接続部13に係合される。当該第1の内部ハウジング112には、係合フック1121、位置合わせ溝1122、および、係合ブロック1123が設けられている。当該係合フック1121は、当該係合溝1114内に係合保持されている。当該位置合わせバー1115は、当該位置合わせ溝1122内に嵌設される。当該係合ブロック1123の設置位置は、当該第1の外部ハウジング111の接続端1111に対応する。また、当該第1の内部ハウジング112は、さらに、当該接続部13に係合されている。
【００２９】
図5を参照して、前記弾性アーム12は、第2の外部ハウジング121と、第2の外部ハウジング121に係合された第2の内部ハウジング122とを含む。当該第2の外部ハウジング121は、材質がプラスチックであり、接続部13にネジ接続されている。当該第2の外部ハウジングは弾性変形するように湾曲した帯状を呈している。当該第2の外部ハウジング121は、内壁1211と、当該内壁1211に平行して設けられた2つの突起バー1212と、を含む。当該2つの突起バー1212は、1つの凹溝1213を囲む。当該凹溝1213は、導電線のための収容空間を提供する。当該内壁1211には、係合線溝1214と支持リブ1215が設けられている。当該係合線溝1214は、導電線を係合するためのものであり、それにより、導電線の配線が整えるようになる。当該第2の内部ハウジング122の材質がシリカゲルであり、当該シリカゲル製の第2の内部ハウジング122が肌にさらに優しい一方、「凹み」現象が生じやすくなる。当該支持リブ1215は、第2の内部ハウジング122を支持するものであり、「凹み」現象の発生を回避した。当該第2の外部ハウジング121には、第2の凸状ブロック1216と係合リング1217がさらに設けられている。当該第2の凸状ブロック1216は、当該第2の外部ハウジング121の当該接続部13に向かう側に設けられている。当該第2の凸状ブロック1216と当該係合リング1217は、当該接続部13に係合される。
【００３０】
図6と図7を合わせて参照して、各前記接続部13は、カラー131と、第1の接続片群132と、第2の接続片群133とを含む。当該第1の接続片群132と第2の接続片群133は当該カラー131から両側に延伸するように形成される。当該第1の接続片群132は、当該ハンドル11の第1の外部ハウジング111の接続端に接続される。当該第2の接続片群133は当該弾性アーム12の第2の外部ハウジング121に接続される。当該係合リング1217は、当該第2の接続片群133が穿設して装着されるように案内することができる。当該第1の凸状ブロック1113と当該第2の凸状ブロック1216は突き合わされて当該カラー131内に嵌設される。当該第1の凸状ブロック1113は、当該カラー131の内壁と第1の接続片群132の間に当接されている。当該第2の凸状ブロック1216は、当該カラー131の内壁と第2の接続片群133の間に当接されている。当該第1の凸状ブロック1113と第2の凸状ブロック1216により、当該第1の外部ハウジング111、当該第2の外部ハウジング121および当該接続部13の間の接続強度を高めることができる。当該第1の接続片群132と第2の接続片群133は同一の平面に位置するため、当該第1の凸状ブロック1113と第2の凸状ブロック1216が突き合わされて当該カラー131内に嵌め込まれることが容易となる。当該第1の接続片群132と第2の接続片群133は、当該カラー131の両側から延伸する長さが一致しない。そうすると、製品の組立時、当該カラー131が逆になるのを回避することができ、即ち、フールプルーフの役割を果たす。当該第1の接続片群132は、2つの離間して設けられた接続片1321で構成されており、当該2つの接続片1321の間には、第1の隙間1322が形成される。当該第2の接続片群133は、2つの離間して設けられた接続片1331で構成されており、当該2つの接続片1331の間には、第2の隙間1332が形成される。当該第1の隙間1322および第2の隙間1332はカラー131の内部空間と連通する。そうすると、導電線（図示せず）は当該ハンドル11から、当該第1の隙間1322、当該カラー131、および、当該第2の隙間1322を順次に通過して当該弾性アーム12の凹溝1213に到達することが容易となる。即ち、当該導電線は当該カラー131を通過して、当該カラー131によって遮蔽される。また、当該係合ブロック1123は、当該第1の隙間1322を介して当該カラー131内に係合されることができる。本実施形態では、前記接続部13は、金属リングである。
【００３１】
前記電極アセンブリ14は、長尺形状を呈し、弾性アーム12の延在方向に沿って当該弾性アーム12の第2の内部ハウジング122に設けられている。そうすると、電極アセンブリ14が人体の頚部によりよく貼り付けられることで、電極アセンブリ14が時々皮膚から脱離することによる「針刺痛」という業界の難題を回避した。
【００３２】
当該ハンドル11と当該弾性アーム12を取り付けるためには、まず、当該電気パルス発生装置15を当該ハンドル11の第1の外部ハウジング111に取り付け、次は、当該接続部13の第2の接続片群133を当該係合リング1217に穿設し、当該第2の接続片群133を当該弾性アーム12の第2の外部ハウジング121にネジ接続し、そのとき、当該第2の凸状ブロック1216が当該カラー131内に嵌設される。その後、当該第1の外部ハウジング111の第1の凸状ブロック1113と第2の凸状ブロック1216とを突き合わせて当該カラー13内に嵌設し、当該第1の接続片群132を当該第1の外部ハウジング111にネジ接続する。そして、当該ハンドル11の第1の内部ハウジング112の係合ブロック1123を、当該第1の隙間1322を介して当該カラー131内に係合させる。最後には、当該係合フック1121を当該係合溝1114内に係合保持し、そのとき、当該位置合わせバー1115が当該位置合わせ溝1122内に嵌設されると取付が完了する。
【００３３】
当該ハンドル11と当該弾性アーム12を取り外すためには、まず、ハンドル11を強力で外側に引っ張ると、当該接続端1111が微細に変形してしまい、当該自由端1112が当該接続部13を支点として揺動することで、当該第1の内部ハウジング112を当該接続部13から離れた方向へ移動させる。そして、当該第1の内部ハウジング112の係合ブロック1123が当該カラー131内から脱出されるまで、当該ハンドル11を引き続き強力で外側に引っ張る。その後、当該係合フック1121を強力で当該係合溝1114から脱出させる。最後には、当該第1の外部ハウジング111、当該第2の外部ハウジングを、当該接続部13から分離させるだけで済む。
【００３４】
前記頚部マッサージ器10は、当該弾性アーム12の変形によって当該頚部マッサージ器10の着用を実現させ、首の太さに好適に適応できる。また、当該頚部マッサージ器10では、当該接続部13のカラー131によって、当該ハンドル11の第1の外部ハウジング111と第1の内部ハウジング112の装着を支援するため、取り外しの場合、当該ハンドル11を手動で外側に引っ張り、当該第1の外部ハウジング111の微細な変形によって、当該第1の内部ハウジング112を当該カラー131から脱離させるだけで済む。それにより、取り外しが非常に容易なものとなる。さらに重要なのは、当該接続部13が金属製のものであるので、第1の外部ハウジング111よりも強固なものとなり、そのため、第1の内部ハウジング112が接続部13に錠止されたことにより、製品の使用寿命を延ばすことができる。
【００３５】
以上に記述されているのは、本願における好適な実施例に過ぎず、本願が請求する範囲を制限するものではない。本願の技術的構想を基して、本願の明細書及び添付図面の記載を用いた等価の構造変換、または、他の関連した技術分野への直接/間接な応用はいずれも、本願が請求する範囲内に入っている。
【図１】
0003234837.tif 000003
【図２】
0003234837.tif 000004
【図３】
0003234837.tif 000005
【図４】
0003234837.tif 000006
【図５】
0003234837.tif 000007
【図６】
0003234837.tif 000008
【図７】
0003234837.tif 000009